(57)【特許請求の範囲】
【請求項１】
立体表示装置であって、
右目用の画像光を生成する右目画像生成領域および左目用の画像光を生成する左目画像生成領域を有し、前記右目画像生成領域及び前記左目画像生成領域が画像光が生成される面内に互い違いに配された画像生成部と、
前記画像生成部が生成した前記右目用の画像光および前記左目用の画像光を同一の偏光方向で出射する偏光板と、
前記偏光板から前記右目用の画像光および前記左目用の画像光を入射し、前記右目用の前記画像光と前記左目用の前記画像光の偏光軸が互いに直交した直線偏光、または、偏光軸の回転方向が互いに逆方向である円偏光として出射する偏光軸制御板と
を備え、
前記偏光軸制御板は、
面内に互い違いに配された右目偏光領域と左目偏光領域、
前記右目偏光領域と前記左目偏光領域との境界であって前記偏光板に対向する面に設けられ、前記右目用の前記画像光および前記左目用の前記画像光を遮る複数の遮光部、および、
前記複数の遮光部の間に形成され、前記右目用の前記画像光および前記左目用の前記画像光を透過する複数の開口部
を有し、
前記右目偏光領域は、前記右目用の前記画像光が入射し、
前記左目偏光領域は、前記左目用の前記画像光が入射し、
前記右目画像生成領域および前記左目画像生成領域のうちの一方から出射し前記複数の開口部のうちの一の開口部に入射した画像光が、視野角の内側に向かうとともに、前記右目画像生成領域および前記左目画像生成領域のうちの前記一方に隣接した他方から出射し前記一の開口部に入射した画像光が視野角の外側に向い、
視野角θが±１３．５°の範囲において、下記数式（５）から（７）により定義されるクロストーク率Ｃ（θ）が７％以下である立体表示装置。
Ｃ（θ）＝（ＣＬ（θ）＋ＣＲ（θ））／２      （５）
ＣＬ（θ）＝（ＲｗＬ−ＢＬ）／（ＬｗＬ−ＢＬ）×１００％    （６）
ＣＲ（θ）＝（ＬｗＲ−ＢＲ）／（ＲｗＲ−ＢＲ）×１００％    （７）
ここで、ＢＬは、右目用の画像光および左目用の画像光を黒にした場合の左目用の画像光を、前記左目偏光領域から出射した画像光を透過する左目用画像透過部を介して視野角θで観察した輝度であり、ＬｗＬは、右目用の画像光を黒にし、かつ、左目用の画像光を白にした場合の当該画像光を、前記左目用画像透過部を介して視野角θで観察した輝度であり、ＲｗＬは、右目用の画像光を白にし、かつ、左目用の画像光を黒にした場合の当該画像光を、前記左目用画像透過部を介して視野角θで観察した輝度であり、ＢＲは、右目用の画像光および左目用の画像光を黒にした場合の当該画像光を、前記右目偏光領域から出射した画像光を透過する右目用画像透過部を介して視野角θで観察した輝度であり、ＬｗＲは、右目用の画像光を黒にし、かつ、左目用の画像光を白にした場合の当該画像光を、前記右目用画像透過部を介して視野角θで観察した輝度であり、ＲｗRは、右目用の画像光を白にし、かつ、左目用の画像光を黒にした場合の当該画像光を、前記右目用画像透過部を介して視野角θで観察した輝度である。
【請求項２】
前記偏光板における前記偏光軸制御板に対向する面は、平滑である請求項１に記載の立体表示装置。
【発明の詳細な説明】
【技術分野】
【０００１】
本発明は、立体表示装置に関する。特に本発明は、左右の画像光のクロストークを低減する立体表示装置に関する。
【背景技術】
【０００２】
例えば、特許文献１には、右目と左目の視差を利用して右目用画像と左目用画像を生成することにより、観察者に立体視をさせる立体表示装置が記載されている。この立体表示装置は、右目用画像および左目用画像を生成する液晶表示パネルと、この液体表示パネルにおける観察者側に配され、右目用画像および左目用画像を生成する領域に対向して互いに進相軸が９０度ずれた１／４波長板とを備える。
【特許文献１】特開平１０−２５３８２４号公報
【発明の開示】
【発明が解決しようとする課題】
【０００３】
上記立体表示装置において、立体表示装置の鉛直方向の中央からある視野角の位置から観察すると、液晶表示パネルで生成された右目用画像の一部が、左目用の１／４波長板を透過して観察者の左目に届くクロストークが生じる。
【課題を解決するための手段】
【０００４】
上記課題を解決するために、本発明の第１の形態においては、立体表示装置であって、右目用の画像光を生成する右目画像生成領域および左目用の画像光を生成する左目画像生成領域を有する画像生成部と、画像生成部が生成した右目用の画像光および左目用の画像光を同一の偏光方向で出射する偏光板と、偏光板から右目用の画像光および左目用の画像光を入射し、右目用の画像光と左目用の画像光の偏光軸が互いに直交した直線偏光、または、偏光軸の回転方向が互いに逆方向である円偏光として出射する偏光軸制御板とを備え、偏光軸制御板は、右目用の画像光が入射する右目偏光領域、右目偏光領域に隣接して配され、左目用の画像光が入射する左目偏光領域、右目偏光領域と左目偏光領域との境界であって偏光板に対向する面に設けられ、右目用の画像光および左目用の画像光を遮る複数の遮光部、および、複数の遮光部の間に形成され、右目用の画像光および左目用の画像光を透過する複数の開口部を有し、右目画像生成領域および左目画像生成領域のうちの一方から出射し複数の開口部のうちの一の開口部に入射した画像光が、視野角の内側に向かうとともに、右目画像生成領域および左目画像生成領域のうちの一方に隣接した他方から出射し一の開口部に入射した画像光が視野角の外側に向かう。
【０００５】
なお、上記の発明の概要は、本発明の必要な特徴の全てを列挙したものではない。また、これらの特徴群のサブコンビネーションもまた、発明となりうる。
【発明を実施するための最良の形態】
【０００６】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００７】
図１は、本実施形態の立体画像表示システム１０の一部である立体表示装置１００の分解斜視図である。本実施形態の立体画像表示システムは、立体表示装置１００と偏光眼鏡とを備える。図１に示すように、立体表示装置１００は、光源１２０と、偏光板１５０と、画像生成部１６０と、偏光板１７０と、偏光軸制御板１８０とをこの順で備え、これらが筐体に収容されている。この立体表示装置１００に表示される立体画像を観察者が観察する場合、図１における偏光軸制御板１８０よりも右側から観察する。
【０００８】
光源１２０は、観察者から見て立体表示装置１００の最も奥側に配され、立体画像表示システムの一部として立体表示装置１００を使用している状態（以下、「立体表示装置１００の使用状態」と略称する）において、白色の無偏光を偏光板１５０の一面に向けて出射する。なお、本実施形態では、光源１２０に面光源を用いているが、面光源に替えて例えば点光源と集光レンズとの組み合わせでもよい。この集光レンズの一例は、フレネルレンズシートである。
【０００９】
偏光板１５０は、画像生成部１６０における光源１２０側に配される。偏光板１５０は、透過軸および当該透過軸に直交する吸収軸を有し、光源１２０から出射した無偏光が入射すると、その無偏光のうち透過軸方向と平行な偏光軸の光を透過し、吸収軸方向と平行な偏光軸の光を遮断する。ここで、偏光軸の方向とは、光における電界の振動方向のことであり、偏光板１５０における透過軸の方向は、図１に矢印で示すように、観察者が立体表示装置１００を見たときの水平方向から右上４５度の方向である。
【００１０】
画像生成部１６０は、右目画像生成領域１６２および左目画像生成領域１６４を有する。これら右目画像生成領域１６２および左目画像生成領域１６４は、図１に示すように、画像生成部１６０を水平方向に区切った領域であり、複数の右目画像生成領域１６２および左目画像生成領域１６４が鉛直方向に互い違いに配されている。立体表示装置１００の使用状態において、画像生成部１６０の右目画像生成領域１６２および左目画像生成領域１６４には、それぞれ右目用画像および左目用画像が生成される。このときに偏光板１５０を透過した光が画像生成部１６０の右目画像生成領域１６２および左目画像生成領域１６４に入射すると、右目画像生成領域１６２の透過光は右目用画像の画像光（以下、「右目用画像光」と略称する）となり、左目画像生成領域１６４の透過光は左目用画像の画像光（以下、「左目用画像光」と略称する）となる。なお、右目画像生成領域１６２を透過した右目用画像光および左目画像生成領域１６４を透過した左目用画像光は、それぞれ特定方向の偏光軸を有する直線偏光である。ここで、それぞれ特定方向の偏光軸とは、互いに同じ方向であってもよく、図１に示す例においては、ともに偏光軸が後述する偏光板１７０における透過軸の方向と同じ方向である。このような画像生成部１６０には、例えば水平方向及び垂直方向に二次元的に複数の小さなセルが配され、各セルにおいて配向膜間に液晶を封止したＬＣＤ（液晶ディスプレイ）が用いられる。このＬＣＤにおいて各セルを電気的に駆動することにより、各セルは、通過する光をその偏光軸の方向を変えずに透過する状態と、偏光軸の方向を９０度回転させて透過する状態とを切り替える。右目画像生成領域１６２および左目画像生成領域１６４は、鉛直方向の１セル毎に交互に配されてもよいし、所定個数のセル毎に交互に配されてもよい。
【００１１】
偏光板１７０は、画像生成部１６０における観察者側に配される。この偏光板１７０は、上記右目画像生成領域１６２を透過した右目用画像光、および、上記左目画像生成領域１６４を透過した左目用画像光が入射すると、これらのうち偏光軸が透過軸と平行な光を透過し、偏光軸が吸収軸と平行な光を遮断する。ここで、偏光板１７０における透過軸の方向は、図１に矢印で示すように、観察者が立体表示装置１００を見たときの水平方向から左上４５度の方向である。
【００１２】
偏光軸制御板１８０は、右目偏光領域１８１および左目偏光領域１８２を有する。この偏光軸制御板１８０における右目偏光領域１８１および左目偏光領域１８２の位置および大きさは、立体表示装置１００を正面の中央位置において所定の観察距離から観察した場合に、右目偏光領域１８１には、上記右目画像生成領域１６２を透過した右目用画像光が入射し、左目偏光領域１８２には、上記左目画像生成領域１６４を透過した左目用画像光が入射するように配される。右目偏光領域１８１および左目偏光領域１８２の位置および大きさは、図３を用いてさらに説明する。
【００１３】
右目偏光領域１８１は、入射した右目用画像光の偏光軸を回転させずにそのまま透過する。また、左目偏光領域１８２は、入射した左目用画像光の偏光軸を右目偏光領域１８１に入射した右目用画像光の偏光軸に対して直交する方向に回転させる。したがって、右目偏光領域１８１を透過した右目用画像光の偏光軸と、左目偏光領域１８２を透過した左目用画像光の偏光軸とは、図１に矢印で示すように、その方向が互いに直交する。なお、図１の偏光軸制御板１８０における矢印は、偏光軸制御板１８０を通過した偏光の偏光軸を示している。右目偏光領域１８１には、例えば透明なガラスまたは樹脂などが用いられ、左目偏光領域１８２には、例えば入射される左目用画像光の偏光軸の方向に対して４５度の角度の光学軸を有する半波長板が用いられる。図１に示す例において、左目偏光領域１８２の光学軸の方向は、水平方向または鉛直方向である。ここで、光学軸とは、光が左目偏光領域１８２を透過するときの進相軸または遅相軸の一方を指す。
【００１４】
また、上記立体表示装置１００は、偏光軸制御板１８０よりも観察者側（図１における偏光軸制御板１８０の右側）に、上記偏光軸制御板１８０の右目偏光領域１８１および左目偏光領域１８２を透過した右目用画像光および左目用画像光を水平方向または鉛直方向の少なくとも一方の方向に拡散する拡散板を有してもよい。このような拡散板には、例えば水平方向または鉛直方向に延伸するかまぼこ状の凸レンズ（シリンドリカルレンズ）が複数配されたレンチキュラーレンズシート、または、凸レンズが平面状に複数配されたレンズアレイシートが用いられる。
【００１５】
図２は、立体画像表示システム１０の使用状態を示す概略上面図である。立体画像表示システム１０により立体画像を観察するときに、観察者５００は、図２に示すように、立体表示装置１００から投影される右目用画像光および左目用画像光を、偏光眼鏡２００をかけて観察する。この偏光眼鏡２００には、観察者５００がこの偏光眼鏡２００をかけたときに観察者５００の右目５１２側にあたる位置に右目用画像透過部２３２が配され、左目５１４側にあたる位置に左目用画像透過部２３４が配される。
【００１６】
右目用画像透過部２３２は、透過軸方向が右目偏光領域１８１を透過した右目用画像光と同じ方向であり、吸収軸方向が上記透過軸方向と直交する方向を有する偏光板である。左目用画像透過部２３４は、透過軸方向が左目偏光領域１８２を透過した左目用画像光と同じ方向であり、吸収軸方向が上記透過軸方向と直交する方向を有する偏光板である。これら右目用画像透過部２３２および左目用画像透過部２３４には、例えば二色性染料を含浸させたフィルムを一軸延伸して得られる偏光膜を貼り付けた偏光レンズが用いられる。
【００１７】
観察者５００は、立体画像表示システム１０により立体画像を観察するときに、上記偏光軸制御板１８０の右目偏光領域１８１および左目偏光領域１８２を透過した右目用画像光および左目用画像光の出射する範囲内において、上記のように、偏光眼鏡２００をかけて立体表示装置１００を観察することにより、右目５１２では右目用画像光だけを観察することができ、左目５１４では左目用画像光だけを観察することができる。したがって、観察者５００は、これら右目用画像光および左目用画像光を立体画像として認識することができる。
【００１８】
図３は、立体表示装置１００における画像生成部１６０、偏光板１７０および偏光軸制御板１８０の詳細を説明する側面図である。ここで、各部材の厚みは説明のために誇張して表現されている。また、説明を簡略化すべく、下半分は省略して示した。
【００１９】
図３に示すように、画像生成部１６０は、右目画像生成領域１６２および左目画像生成領域１６４と、これら右目画像生成領域１６２および左目画像生成領域１６４に対応して配され特定の波長の光を透過するカラーフィルター１６６と、これら右目画像生成領域１６２、左目画像生成領域１６４およびカラーフィルター１６６を支持するガラス基板１６８とを有する。このガラス基板１６８において、カラーフィルター１６６が配されるのと反対側である観察者５００側には、上記偏光板１７０が支持される。なお、偏光板１７０における偏光軸制御板１８０に対向する面は、平滑であることが好ましい。
【００２０】
さらに、偏光軸制御板１８０は、偏光板１７０に対向する側から観察者５００側に向けて、遮光部１９０、右目偏光領域１８１および左目偏光領域１８２、配向部１９２並びにガラス基板１９４を有する。ここで、右目偏光領域１８１および左目偏光領域１８２の一例は液晶であり、配向部１９２の配向方向に従って配向することにより、上記半波長板の機能を有する。
【００２１】
右目偏光領域１８１および左目偏光領域１８２は、画像生成部１６０の右目画像生成領域１６２および左目画像生成領域１６４から出射した右目用画像光および左目用画像光を、特定の観察者５００の位置から観察した場合に、クロストークが生じない位置に配される。当該特定の位置は、例えば、立体表示装置１００の鉛直方向の中央であって、当該立体表示装置１００から所定の観察距離だけ離れた位置である。よって、右目偏光領域１８１および左目偏光領域１８２は、図３に示すように、鉛直方向の端に行くほど、すなわち観察位置からの仰角αが大きくなるほど、右目画像生成領域１６２および左目画像生成領域１６４に対向した位置に対して鉛直方向にずれた位置に配される。なお、仰角αは、観察距離Ｌと、立体表示装置１００の中央から注目している右目画像生成領域１６２および左目画像生成領域１６４までの距離ｈを用いて、ｔａｎ−１（ｈ／Ｌ）で表される。
【００２２】
上記立体表示装置１００において、図３の点線に示すように、観察者５００の位置からある視野角（θ＋α）の観察者５０２の位置から観察する場合を考える。この場合に、同図の一点鎖線に示すように、左目画像生成領域１６４からの左目用画像光の一部が、偏光軸制御板１８０の右目偏光領域１８１を透過して観察者５０２に届くクロストークが生じる。そこで、本実施形態において、偏光軸制御板１８０は、偏光板１７０に対向する面に設けられ、右目用画像光および左目前記画像光を遮る遮光部１９０を有する。
【００２３】
図４は、遮光部１９０を説明する図３の部分拡大図である。図４に示すように、偏光軸制御板１８０において、偏光板１７０に対向する面に、水平方向に延伸する遮光部１９０が複数配される。図４において、右目画像生成領域３６１および左目画像生成領域３６２は、右目画像生成領域１６２および左目画像生成領域１６４のうちの任意の隣接する組を説明のために示したものであって、同様に、右目偏光領域３８１および左目偏光領域３８２も、右目偏光領域１８１および左目偏光領域１８２のうち右目画像生成領域３６１および左目画像生成領域３６２に対応した組を示した。同様に遮光部３９０も、複数の遮光部１９０のうち右目画像生成領域３６１と左目画像生成領域３６２との境界に対応したものを示した。
【００２４】
図４に示すように、右目偏光領域３８１と左目偏光領域３８２との間には鉛直方向の幅ｗの遮光部３９０が配される。遮光部３９０の両側は、右目偏光領域３８１および左目偏光領域３８２の画像光をそれぞれ透過する開口部３９１および開口部３９２が設けられる。ここで、遮光部３９０の幅ｗは、観察者５００の仰角αに対して、右目画像生成領域３６１と左目画像生成領域３６２との境界から視野角の内側（±θ）に向かう画像光が遮光されるように設定される。よって、遮光部３９０の幅ｗは、カラーフィルター１６６から右目偏光領域１８１までの距離をｄとすると、幾何学的には下記数式（１）を満たすことが好ましい。
【００２５】
ｗ＝ｄ＊（ｔａｎ（α＋θ）−ｔａｎ（α−θ））      （１）
【００２６】
ただし、画像光には回折現象等があるので、遮光部３９０の幅ｗは、上記数式（１）よりも大きくてもよいし、開口率を高くすべく上記数式（１）よりも小さくてもよい。
【００２７】
これにより、左目画像生成領域３６２から出射し開口部３９２に入射した画像光が、視野角の内側（±θ）に向かうとともに、左目画像生成領域３６２に隣接した右目画像生成領域３６１から出射し開口部３９２に入射した画像光が視野角の外側に向かう。よって、視野角の内側（±θ）から立体表示装置１００を観察した場合に、右目用画像（左目用画像）が左目偏光領域（右目偏光領域）に入って左目（右目）で観察されることによるクロストークを低減することができる。
【００２８】
上記遮光部１９０は、例えば、スクリーン印刷により形成される。なお、この遮光部１９０は、例えば、バインダー樹脂にフィラー成分を分散させたものなどで形成することが好ましい。フィラー成分は、金属粒子およびその酸化物、または顔料、染料を用いる。フィラー成分の色調は、上記画像生成部１６０から出射される右目用画像光および左目用画像光に対して黒色であることが好ましい。上記顔料および染料を分散あるいは溶解させるバインダー樹脂は、公知の樹脂例えばアクリル樹脂、ウレタン樹脂、ポリエステル、ノボラック樹脂、ポリイミド、エポキシ樹脂、塩化ビニル・酢酸ビニルコポリマー、ニトロセルロース、または、これらの組み合わせ等を用いる。
【００２９】
なお、カラーフィルター１６６には、右目画像生成領域１６２および左目画像生成領域１６４の境界に対応した位置に画像光を遮断する遮光部が設けられてもよい。この場合に、画像生成部１６０、偏光板１７０および偏光軸制御板１８０は、下記表１に示す各値を有することが好ましい。
【００３０】
【表１】
0004936191.tif 000002
【実施例１】
【００３１】
実施例１として、画像生成部１６０、偏光板１７０および偏光軸制御板１８０が下記表２に示す各値を有する立体表示装置１００を用いて、下記数式（２）から（４）により定義されるクロストーク率Ｃ（θ）を計測した。また、比較例１として、偏光軸制御板１８０が遮光部１９０を有しないこと以外は上記実施例１と同じ条件の立体表示装置１００を用いて、同様にクロストーク率Ｃ（θ）を計測した。
【００３２】
【表２】
0004936191.tif 000003
【００３３】
Ｃ（θ）＝（ＣＬ（θ）＋ＣＲ（θ））／２      （２）
ＣＬ（θ）＝（ＲｗＬ−ＢＬ）／（ＬｗＬ−ＢＬ）×１００％    （３）
ＣＲ（θ）＝（ＬｗＲ−ＢＲ）／（ＲｗＲ−ＢＲ）×１００％    （４）
【００３４】
ここで、ＢＬは、右目用の画像光および左目用の画像光を黒にした場合の左目用の画像光を、左目用画像透過部２３４を介して視野角θで観察した輝度である。また、ＬｗＬは、右目用の画像光を黒にし、かつ、左目用の画像光を白にした場合の当該画像光を、左目用画像透過部２３４を介して視野角θで観察した輝度である。さらに、ＲｗＬは、右目用の画像光を白にし、かつ、左目用の画像光を黒にした場合の当該画像光を、左目用画像透過部２３４を介して視野角θで観察した輝度である。同様に、ＢＲは、右目用の画像光および左目用の画像光を黒にした場合の当該画像光を、右目用画像透過部２３２を介して視野角θで観察した輝度である。また、ＬｗＲは、右目用の画像光を黒にし、かつ、左目用の画像光を白にした場合の当該画像光を、右目用画像透過部２３２を介して視野角θで観察した輝度である。さらに、ＲｗRは、右目用の画像光を白にし、かつ、左目用の画像光を黒にした場合の当該画像光を、右目用画像透過部２３２を介して視野角θで観察した輝度である。
【００３５】
図５は、上記クロストーク率Ｃ（θ）の計測結果を示す。図５に示すように、実施例１および比較例１は、視野角θが大きくなるほど、クロストーク率Ｃ（θ）が高くなる。ここで、同じ視野角θに対してはいずれも、実施例１のクロストーク率Ｃ（θ）の方が、比較例１のクロストーク率Ｃ（θ）よりも低い。また、実施例１の最良クロストーク率は１．５％であり、比較例１の最良クロストーク率４％である。さらに、視野角θが±１３．５°の範囲において、クロストーク率Ｃ（θ）が７％以下である。これにより、遮光部１９０を設けたことにより、クロストークが低減されたことが分かる。
【００３６】
図６は、他の立体表示装置１０１の分解斜視図である。図６に示す立体表示装置１０１において、図１の立体表示装置１００と同じ構成については同じ参照番号を付して説明を省略する。図６に示すように、立体表示装置１０１は、上記立体表示装置１００の偏光軸制御板１８０に替えて偏光軸制御板１８５を備える。この偏光軸制御板１８５は、右目偏光領域１８６および左目偏光領域１８７を有する。ここで、右目偏光領域１８６および左目偏光領域１８７は、ともに１／４波長板であり、それぞれの光学軸が互いに直交する。この偏光軸制御板１８５における右目偏光領域１８６および左目偏光領域１８７は、上記偏光軸制御板１８０における右目偏光領域１８１および左目偏光領域１８２と同様に、図３で説明した位置および大きさで形成される。したがって、立体表示装置１０１の使用状態において、右目偏光領域１８６には、上記右目画像生成領域１６２を透過した右目用画像光が入射し、左目偏光領域１８７には、上記左目画像生成領域１６４を透過した左目用画像光が入射する。
【００３７】
図６に示す偏光軸制御板１８５は、入射した光を偏光軸の回転方向が互いに逆方向である円偏光として出射する。例えば、右目偏光領域１８６は入射した光を右回りの円偏光として出射し、左目偏光領域１８７は入射した光を左回りの円偏光として出射する。ここで、図６の偏光軸制御板１８５の矢印は、この偏光軸制御板１８５を通過した偏光の回転方向を示している。右目偏光領域１８６には、例えば光学軸が水平方向である１／４波長板が用いられ、左目偏光領域１８７には、例えば光学軸が鉛直方向である１／４波長板が用いられる。
【００３８】
図６に示す偏光軸制御板１８５を備えた立体表示装置１０１を観察する場合、観察者５００は、図２に示す偏光眼鏡２００の右目用画像透過部２３２および左目用画像透過部２３４に変えて、それぞれの光学軸が互いに直交する１／４波長板が配される。例えば、右目用の位相差板には、ポリカーボネートで形成された光学軸が水平方向である１／４波長板が用いられ、左目用の位相差板には、ポリカーボネートで形成された光学軸が鉛直方向である１／４波長板が用いられる。さらに、上記偏光眼鏡は、位相差板よりも観察者側に、ともに透過軸方向が観察者５００から見て右斜め４５度であり、吸収軸方向が上記透過軸方向と直交する方向を有する偏光板を有する。観察者５００は、上記偏光眼鏡をかけて立体表示装置１０１を観察することにより、右目５１２では右目用画像光だけを観察することができ、左目５１４では左目用画像光だけを観察することができる。
【００３９】
図６に示す立体表示装置１０１においても、図４に示す遮光部１９０を設けることにより、右目用画像が左目偏光領域に入ることを防いで、クロストークを低減することができる。
【００４０】
上記説明から明らかなように、本実施形態によれば、偏光軸制御板に設けた遮光部および開口部により、視野角内での右目用の画像と左目用の画像とのクロストークを低減する立体表示装置を実現することができる。
【００４１】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００４２】
【図１】本実施形態の立体画像表示システム１０の一部である立体表示装置１００の分解斜視図である。
【図２】立体画像表示システム１０の使用状態を示す概略上面図である。
【図３】立体表示装置１００における画像生成部１６０、偏光板１７０および偏光軸制御板１８０の詳細を説明する側面図である。
【図４】遮光部１９０を説明する図３の部分拡大図である。
【図５】上記クロストーク率Ｃ（θ）の計測結果を示す。
【図６】立体表示装置１０１の分解斜視図である。
【符号の説明】
【００４３】
１０  立体画像表示システム、１００  立体表示装置、１０１  立体表示装置、１２０  光源、１５０  偏光板、１６０  画像生成部、１６２  右目画像生成領域、１６４  左目画像生成領域、１６６  カラーフィルター、１６８  ガラス基板、１７０  偏光板、１８０  偏光軸制御板、１８１  右目偏光領域、１８２  左目偏光領域、１８５  偏光軸制御板、１８６  右目偏光領域、１８７  左目偏光領域、１９０  遮光部、１９２  配向部、  １９４  ガラス基板、２００  偏光眼鏡、２３２  右目用画像透過部、２３４  左目用画像透過部、３６１  右目画像生成領域、３６２  左目画像生成領域、３８１  右目偏光領域、３８２  左目偏光領域、３９０  遮光部、３９１  開口部、３９２  開口部、５００  観察者、５０２  観察者、５１２  右目、５１４  左目
【図１】
0004936191.tif 000004
【図２】
0004936191.tif 000005
【図３】
0004936191.tif 000006
【図４】
0004936191.tif 000007
【図５】
0004936191.tif 000008
【図６】
0004936191.tif 000009